(57)【要約】【課題】ブラシによりエアフィルタを自動的に清掃する空調室内機において、エアフィルタの面のうちブラシで清掃している面とは反対側の裏面側に回り込む塵埃を低減させる。【解決手段】エアフィルタ６において、エアフィルタ安定板が当接する側では、支持枠体６ｂがフィルタ部６ａから突出量６ｘだけ突出する。一方、ブラシが当接する側では、支持枠体６ｂがフィルタ部６ａから突出量６ｙだけ突出する。これら突出量の関係を、突出量６ｘ＜突出量６ｙに設定する。ブラシが当たる面とは反対側のエアフィルタ安定板とフィルタ部６ａとのクリアランスが小さくなり、エアフィルタ裏面側への塵埃の回りこみが少なくなる。【選択図】図１３
2010025385.tif 000002
【特許請求の範囲】
【請求項１】
ブラシ（２７）と、
フィルタ部（６ａ）と前記フィルタ部を支持する支持枠体（６ｂ）とを有し、清掃のために前記ブラシに接しつつ通過するエアフィルタ（６）とを備え、
前記支持枠体は、前記フィルタ部を基準とする突出量について前記ブラシが接する側よりも前記ブラシが接しない側の方が小さくなるように構成されている、空調室内機。
【請求項２】
前記ブラシに対向する受け部材（４５）をさらに備え、
前記エアフィルタは、前記ブラシと前記受け部材との間を前記ブラシ及び前記受け部材に接しつつ通過する、請求項１に記載の空調室内機。
【請求項３】
前記受け部材を前記ブラシ側に付勢する付勢部材（４４）をさらに備える、請求項２に記載の空調室内機。
【請求項４】
前記ブラシは、下方から前記フィルタ部に接触する、請求項１から３のいずれかに記載の空調室内機。
【請求項５】
前記エアフィルタの下方に、前記ブラシが掻き落す塵埃を収集する塵埃収集箱（２９）をさらに備える、請求項４に記載の空調室内機。
【請求項６】
前記受け部材は、前記エアフィルタに接する面が滑らかな平面または湾曲面である、請求項１から５のいずれかに記載の空調室内機。
【請求項７】
前記エアフィルタは、前記ブラシと前記受け部材との間を通過するための駆動力が伝達されるラックギア（６ｃ）を、前記清掃範囲外の前記支持枠体の縁部（６ｆ、６ｇ）に有する、請求項１から６のいずれかに記載の空調室内機。
【発明の詳細な説明】
【技術分野】
【０００１】
本発明は空調室内機に関し、特に、フィルタの清掃機能を有する空調室内機に関する。
【背景技術】
【０００２】
空調室内機は、その本体ケーシング内に熱交換器と送風ファンとを備えている。この送風ファンにより、室内空気をケーシング内に吸い込み、熱交換器を通してケーシング外に吹き出している。熱交換器において、室内空気の加熱又は冷却によって空気の調和が行われる。そのため、この吸い込まれた室内空気に塵埃が含まれていると、熱交換器や送風ファンに付着し、熱交換能力の低下や機器の故障の原因となる。そこで、空調室内機の空気吸込口には、吸い込んだ空気に含まれる塵埃がケーシング内に侵入するのを防ぐため、エアフィルタが取り付けられている（特許文献１参照）。
【０００３】
ところが、エアフィルタで塵埃を除去すると、除去した塵埃はエアフィルタに溜まって徐々にエアフィルタが目詰まりして行くことになる。フィルタの目詰まりは、送風ファンにより熱交換器に送られる室内空気の量の減少を招き、同じ量を送ろうとすると送風ファンの負荷の増大につながり電力消費の増加原因ともなる。そのような不具合を防ぐため、エアフィルタの清掃が必要になる。そこで、エアフィルタの清掃の手間をできる限り省くため、ブラシによって自動的に塵埃を清掃する手段を設けた空調室内機が提案されている（特許文献２参照）。
【特許文献１】特開平１１−２３０５１号公報
【特許文献２】特開２００７−１５５２４１号公報
【発明の開示】
【発明が解決しようとする課題】
【０００４】
空調室内機の本体ケーシング内において、エアフィルタに付着した塵埃を自動的にブラシにより掻き落すタイプにおいては、ブラシの毛によって塵埃がエアフィルタの裏側に回り込むという現象が生じる場合がある。塵埃がエアフィルタの裏側に回り込むと、吸い込まれる室内空気と一緒に熱交換器や送風ファンに運ばれ、エアフィルタをつける効果が低下してしまう。
【０００５】
本発明の課題は、ブラシによりエアフィルタを自動的に清掃する空調室内機において、ブラシで清掃している面とは反対側の面であるエアフィルタの裏面に回り込む塵埃を低減させることにある。
【課題を解決するための手段】
【０００６】
第１発明に係る空調室内機は、ブラシとエアフィルタとを備える。エアフィルタは、フィルタ部とフィルタ部を支持する支持枠体とを有する。エアフィルタは、清掃のためにブラシに接しつつ通過する。このエアフィルタの支持枠体は、フィルタ部を基準とする突出量についてブラシが接する側よりもブラシが接しない側の方が小さくなるように構成されている。
【０００７】
本発明によれば、ブラシが接しない側の突出量が小さいため、エアフィルタが通過する際に支持枠体が接する部材とフィルタ部との間隙を小さくできる。
【０００８】
第２発明に係る空調室内機では、第１発明の空調室内機であって、ブラシに対向する受け部材をさらに備える。エアフィルタは、清掃のためにブラシと受け部材との間をブラシ及び受け部材に接しつつ通過する。
【０００９】
本発明によれば、ブラシに対向する位置に受け部材という専用の部材を設けたので、フィルタ部を基準とする突出量についてブラシ側よりも受け部材側の方が小さくなるように設定しやすくなる。
【００１０】
第３発明に係る空調室内機は、第２発明の空調室内機であって、受け部材をブラシ側に付勢する付勢部材をさらに備える。
【００１１】
本発明によれば、受け部材をブラシ側に付勢することにより、エアフィルタと受け部材との接触状態を保つことができる。それにより、フィルタ部と受け部材の間隔が広がるのを防止でき、ブラシの毛がフィルタ部を突き抜けるのを防止することができる。
【００１２】
第４発明に係る空調室内機は、第１発明から第３発明の空調室内機であって、ブラシは、下方からフィルタ部に接触する。
【００１３】
本発明によれば、ブラシが下方からフィルタ部に接触するため、ブラシが掻き落す塵埃は、重力によりフィルタ部から下側に向かって落ちる。
【００１４】
第５発明に係る空調室内機は、第４発明の空調室内機であって、エアフィルタの下方に、ブラシが掻き落す塵埃を収集する塵埃収集箱をさらに備える。
【００１５】
本発明によれば、ブラシで掻き落した塵埃を塵埃収集箱に収納でき、塵埃の飛散を防止することができる。
【００１６】
第６発明に係る空調室内機は、第１発明から第５発明のいずれかの空調室内機であって、エアフィルタに接する受け部材の面が滑らかな平面または湾曲面で形成されている。
【００１７】
本発明によれば、エアフィルタに接する受け部材の面を滑らかな平面又は滑らかな湾曲面とすることで、エアフィルタと受け部材が接触している状態を保ちやすい。
【００１８】
第７発明に係る空調室内機は、第１発明から第６発明のいずれかの空調室内機であって、エアフィルタが、ブラシと受け部材との間を通過するための駆動力が伝達されるラックギアを、清掃範囲外の支持枠体の縁部に有する。
【００１９】
本発明によれば、ラックギアは清掃範囲の外側にあるのでブラシによる清掃に悪影響を及ぼさない。一方、ラックギアの剛性により支持枠体の形状が保持されるため、エアフィルタと受け部材との間に隙間ができるのを防ぐことができる。
【発明の効果】
【００２０】
第１発明に係る空調室内機では、エアフィルタが通過する際に支持枠体が接する部材とフィルタ部との間隙を小さくでき、フィルタ部における塵埃の回り込みを少なくすることができる。
【００２１】
第２発明に係る空調室内機では、フィルタ部と受け部材との間隙を小さくし易く、フィルタ部における塵埃の回り込みを少なくする設定が容易になる。
【００２２】
第３発明に係る空調室内機では、受け部材をブラシ側に付勢することにより、ブラシの毛が突き抜けるのを防止することができ、塵埃の回り込みを抑制することができる。
【００２３】
第４発明に係る空調室内機では、ブラシが下方からフィルタ部に接触するとことにより、塵埃がフィルタ部から下側に向かって落ちるため、フィルタ部の上側への塵埃の回り込みを少なくすることができる。
【００２４】
第５発明に係る空調室内機では、塵埃収集箱により塵埃の飛散を防止でき、塵埃の回り込みを少なくすることができる。
【００２５】
第６発明に係る空調室内機では、エアフィルタと受け部材との間の接触状態を保ち易く、エアフィルタの受け部材側への塵埃の回り込みを防止しやすくなる。
【００２６】
第７発明に係る空調室内機では、支持枠体の形状が保持されてエアフィルタと受け部材との間に隙間が広がるのを防げるため、エアフィルタの受け部材側への塵埃の回り込みを防止しやすくなる。
【発明を実施するための最良の形態】
【００２７】
＜空調室内機の構成の概要＞
図１は、本発明の一実施形態に係る空調室内機の外観を示す斜視図である。図１に示すように、空調室内機１は、ケーシング２と化粧パネル3とを備えている。この空調室内機１は、天井設置型であって、ケーシング２が天井に埋め込まれ、化粧パネル３が室内（下方）に向けて取り付けられる。化粧パネル３には、吸込口５と吹出口１３とが設けられている。吸込口５には、可動パネル４が設けられ、吹出口１３には、風向調節羽根１２が設けられている。
【００２８】
図２は、可動パネル４が開いている状態で、図１におけるＡ−Ａ線で切断した断面図である。空調室内機１の運転時には、可動パネル４が開き、吸込口５から室内の空気を取り込む。吸込口５から吸い込まれた空気は、エアフィルタ６を通過して吸込み流路７に吸込まれる。このとき、エアフィルタ６により、室内の空気に含まれていた塵埃がエアフィルタ６で取り除かれる。
【００２９】
吸込み流路７からクロスフローファン９によって熱交換器８に導かれた空気は、熱交換器８で加熱または冷却される。熱交換器８によって調和された空気は、クロスフローファン９によって吹出し流路１０に送り込まれる。
【００３０】
クロスフローファン９によって吹出し流路１０に送り込まれた空気は、さらに、風向調節羽根１１，１２を通って適切な向きに向けられ、吹出口１３から室内に吹き出される。
【００３１】
なお、熱交換器８で空気が調和される際に発生する結露水は、熱交換器８を伝ってドレンパン１４で受け止められる。そのため、ドレンパン１４は、熱交換器１２の下方に配置され、結露水が直接落下する可能性のある範囲の全域を占めている。
【００３２】
エアフィルタ６で取り除く塵埃は、室内の空気がエアフィルタ６を通過すればするほどエアフィルタ６に蓄積して行く。そのため、定期的にエアフィルタ６の清掃がフィルタ清掃機構２０によって行われる。エアフィルタ清掃機構２０は、エアフィルタ６を収納するエアフィルタ収納部２１と、エアフィルタ６を清掃するためのブラシ２７と、エアフィルタ６から掻き落とされた塵埃をためるために可動パネル４に設けられたダストボックス２９とを備えている。
【００３３】
＜エアフィルタ収納部の構成＞
図３はエアフィルタ収納部の平面図であり、図４はエアフィルタ収納部の側面図である。また、図５は図３のＢ−Ｂ線で切断したエアフィルタ収納部の断面図である。図６は、図３に示すエアフィルタ収納部のうち１枚のエアフィルタに対応する部分の立体分解図である。
【００３４】
フィルタ清掃機構２０のエアフィルタ収納部２１は、前方収納部２２と後方収納部２３に分かれている。図６に示すように、エアフィルタ収納部２１は、主に、収納部本体３１と、下枠３２と、上枠３６とからなる。そして、下枠３２は固定枠部３３と可動枠部３４からなる。可動枠部３４は収納部本体３１に回動自在に取り付けられる。この可動枠部３４は、係止部材３５によって、収納部本体３１に係止される。
【００３５】
図５に示すように、前方収納部２２には前方収納経路２４があり、後方収納部２３には後方収納経路２５がある。直線状の前方収納経路２４では、運転時にエアフィルタ６が留まってフィルタ機能を発揮し、又は清掃時にエアフィルタ６が移動して出て行く。また、後方収納径路２５には、エアフィルタ６の清掃時にエアフィルタ６が移動して入ってくる。
【００３６】
前方収納部２２は、収納部本体３１に下枠３２を組み合わせて構成されている。前方収納経路２４は、収納部本体３１のリブ３１ａ、固定枠部３３のリブ３３ａ、可動枠部３４のリブ３４ａを組み合わせた部分を有しており、前方収納経路２４には、開口部３１ｂや開口部３４ｂなどがある。そのため、エアフィルタ６が前方収納部２２にあるときには、開口部３１ｂ、３４ｂなどからエアフィルタ６のフィルタ部６ａが露出し、フィルタ部６ａを空気が通過できるよう、エアフィルタ収納部２１は構成されている。
【００３７】
後方収納部２３は、収納部本体３１に上枠３６を組み合わせて構成されている。後方収納経路２５は、収納部本体３１の湾曲部分と上枠３６の湾曲部分とが組み合わさってできており、２つの湾曲領域を有している。一つは、第１湾曲領域２５ａであって、ピニオンギア４１の近傍に位置しており、第１湾曲領域２５ａの曲率の中心はピニオンギア４１の方にある。他の一つは、第２湾曲領域２５ｂであって、第１湾曲領域２５ａの後の平坦な領域に続いて後方収納部２３の終端部に達する後方収納経路２５の大部分を占める領域である。第２湾曲領域２５ｂの曲率の中心は第１湾曲領域２５ａとは逆のブラシ側にある。後方収納経路２５が第２湾曲領域２５ｂを有しているのは、フィルタ清掃機構２０の占有領域を小さくして空調室内機１をコンパクトにするためである。
【００３８】
２枚のエアフィルタ６は、図３及び図４に示す２つの駆動モータ３７，３８で個別に駆動される。ブラシ２７は、図３に示す駆動モータ３９により駆動される。エアフィルタ６にはラックギア６ｃが形成されており、駆動モータ３７，３８の駆動力がラックギア６ｃに伝達されることによって、エアフィルタ６が、前方収納経路２４と後方収納経路２５の中を移動する。このラックギア６ｃは、フィルタ部６ａを支える支持枠体６ｂの縁部に一体的に形成されている。駆動モータ３７，３８の駆動力は、幾つかの中間伝達ギア（図示省略）を介して、図６に示す断面正方形の回転軸４０に伝達される。回転軸４０には、平歯車であるピニオンギア４１が嵌め込まれている。このピニオンギア４１がラックギア６ｃと噛み合うことにより、エアフィルタ６に駆動モータ３７，３８の駆動力が伝わることになる。先に説明した後方収納経路２５の第１湾曲領域２５ａを設けたのは、エアフィルタ６のラックギア６ｃとピニオンギア４１との噛み合い率が増加するので、エアフィルタ６とピニオンギア４１との間で歯飛びが起こり難く、ピニオンギア４１の動力が確実にエアフィルタ６に伝達されるからである。
【００３９】
回転軸４０は、中心が断面正方形状にくり貫かれた円筒状のチューブ４２の中に通される。その状態で、回転軸４０は、チューブ４２とともにフィルタ押え部材４３の穴４３ａの中を通してエアフィルタ収納部２１に組み付けられる。チューブ４２を通す穴４３ａは、フィルタ押え部材４３が上下に動いてもフィルタ押え部材４３に当たってチューブ４２に負荷がかからないように、上下に長い長円状に形成されている。フィルタ押え部材４３の上部の円柱状部４３ｂには、バネ４４が嵌め込まれており、円柱状部４３ｂが収納部本体３１の穴３１ｃに上下動自在に挿入されている。そのため、フィルタ押え部材４３は、バネ４４によって下向き即ちエアフィルタ６が配置される方向へ付勢される。このフィルタ押え部材４３の下には、エアフィルタ６と接触するエアフィルタ安定板４５が取り付けられている。エアフィルタ安定板４５は、２つのピニオンギア４１の間に設けられた長尺の板であって、エアフィルタ６のラックギア６ｃの間に挟まれた清掃が必要な清掃範囲に接する。このエアフィルタ安定板４５は、図５に示すように断面形状が、下方に向かって凸に湾曲している。エアフィルタ安定板４５が、下方に向かって凸に曲がっているのは、エアフィルタ６が引っ掛からずにスムーズに移動できるようにするためである。このフィルタ押え部材４３がバネ４４で付勢されているために、エアフィルタ安定板４５もエアフィルタ６の方に向かって付勢されている。フィルタ押え部材４３が下がりすぎて、エアフィルタ収納部２１やエアフィルタ６を破損しないように、ストッパ４３ｃが設けられている。
【００４０】
＜エアフィルタの清掃＞
図７、図８、図９及び図１０を用いてエアフィルタの清掃について説明する。図７は図３のＣ−Ｃ線で切断したフィルタ清掃機構の構造の概略を説明するための断面図である。図８では、フィルタ清掃機構２０の機能について説明する。また、図９では、可動パネル４の動作について説明する。図１０には、可動パネル４が下降している状態を示している。
【００４１】
図８（ａ）は、エアフィルタ６が前方収納部２２にあるときのエアフィルタ収納部２１の断面図である。図８（ｂ）は、エアフィルタ６が後方収納部２２にあるときのエアフィルタ収納部２１の断面図である。図８（ｃ）は、エアフィルタ６を取り出すときのエアフィルタ収納部２１の断面図である。図９（ａ）は、運転時の空調室内機の側面図である。図９（ｂ）は、運転停止時の空調室内機の側面図である。図９（ｃ）はメンテナンス時の空調室内機の側面図である。
【００４２】
図７に示すように、フィルタ清掃機構２０のピニオンギア４１は、エアフィルタ収納部２１の吸込み流路７の側であって、前方収納経路２４と後方収納経路２５の境界に配置されている。また、フィルタ清掃機構２０のブラシ２７は、エアフィルタ収納部２１の吸込口５の側にであって、前方収納経路２４と後方収納経路２５の境界に配置されている。このブラシ２７は、つまり、エアフィルタ６を挟んで、ピニオンギア４１と対向する位置に配置されている。ブラシ２７を前述の位置に配置するのは、前方収納経路２４と後方収納経路２５の境界において、ピニオンギア４１に挟まれるように配置されているエアフィルタ安定板４５に対向させるためである。ブラシ２７は、前方収納経路２４と後方収納経路２５の境界に沿って長く延びており、ブラシ２７の毛２７ａによってエアフィルタ６の所定範囲を清掃できるよう設けられている。ブラシ２７は回転自在にフィルタ清掃機構２０に取り付けられており、ブラシ２７の軸には、最終伝達ギア２８が組みつけられている。図３に示した駆動モータ３９から最終伝達ギア２８に駆動力が伝達されることによりブラシ２７は軸を中心に回転する。エアフィルタ６が移動するだけでなくブラシ２７が回転することにより、エアフィルタ６の塵埃をより確実に掻き落とすことができる。
【００４３】
空調室内機１では、制御部（図示省略）により定期的に、あるいは使用者が必要とするときにリモートコントローラなどで使用者が命令を伝えたときに、エアフィルタ６が自動的に清掃される。空調室内機１の運転中は、図８（ａ）に示すように、エアフィルタ６は前方収納経路２４にあり、空調室内機１の可動パネル４が開いて図９（ａ）に示す状態になっている。ダストボックス２９へ向って来る空気を滑らかにエアフィルタ６へ向わせるために、図１０に示すように、ダストボックス２９の吸込空気と対向する面２９ａは傾斜し、空気抵抗を低減している。なお、可動パネル４を開くためには、ロック装置５１のロックを解除するには、可動部５２を収納部５３に収納することで保持部５４から可動部５２を抜き取る。そして、昇降装置５０がワイヤ５５を繰り出すことにより、可動パネル４が回動して開く。
【００４４】
運転中は、エアフィルタ６の一方の縁部６ｄはピニオンギア４１にラックギア６ｃが噛み合うよう、ピニオンギア４１よりも後方収納経路２５の方に少しはみ出している。また、エアフィルタ６の他方の縁部６ｅは、前方収納経路２４のケーシング２側の終端部に突き当っている。前方収納部２２の終端部は、壁から外側方向に窪むよう形成されたケーシング２の凹部２ａに嵌め込まれている。それにより、エアフィルタ６の他方の縁部６ｅの外側を回り込む室内空気がないようにして、言い換えればエアフィルタ６を通過することなく吸込口５から吸込み流路７に流れ込む室内空気がないようにして、吸込む全ての室内空気のフィルタリングを行っている。なお、エアフィルタ６が前方収納部２２の終端部にあることは位置検知スイッチ３０によって検出される。
【００４５】
清掃は、運転停止時に行われ、図９（ｂ）に示すように、可動パネル４が閉じられて、吸込口５から吸込み流路７に向かって空気が流れない状態で行われる。清掃開始時には、図８（ａ）の状態で駆動モータ３９から最終伝達ギア２８を介してブラシ２７に駆動力が伝達され、ブラシ２７が回転を始める。後方収納部２３の側から前方収納部２２の側へ向かってブラシ２７の毛２７ａがエアフィルタ６を掃く方向にブラシ２７は回転する。同時に、ピニオンギア４１に駆動モータ３７，３８から駆動力が伝達され、ピニオンギア４１も回転を始める。
【００４６】
ブラシ２７の毛２７ａで掃かれながら、ピニオンギア４１の回転に伴ってエアフィルタ６が、前方収納経路２４から後方収納経路２５に向かって移動する。最終的には、図８（ｂ）に示すように、エアフィルタ６の一方の縁部６ｄが後方収納経路２４の終端部に設けられた位置検出スイッチ３０の所まで到達する。このとき、エアフィルタ６の他方の縁部６ｅはピニオンギア４１と噛み合っている。そして、図８（ｂ）の状態から、再び、ピニオンギア４１が逆方向に回転して、エアフィルタ６を後方収納部２３から前方収納部２２へと移動させる。図８（ａ）の状態になったことを位置検出スイッチ３０が検出することにより、ピニオンギア４１とブラシ２７の駆動が止まってフィルタ清掃が終了する。
【００４７】
エアフィルタ６が図８（ａ）の状態にあるとき、エアフィルタ６は、固定枠部３３及び可動枠部３４によって下方から支えられている。使用者が、エアフィルタ６をメンテナンスするためにエアフィルタ収納部２１から取り出すときは、図８（ｃ）に示すように、可動枠部３４を下方へ回動させて、エアフィルタ６を引き出す。
【００４８】
ブラシ２７によるエアフィルタ６の清掃を続けて行くと、清掃によってダストボックス２９に溜まった塵埃を取り除く必要が生じる。ダストボックス２９から塵埃を取り除くためには、図９（ｃ）及び図１０に示すように、可動パネル４をワイヤ５５に吊られた状態で使用者の手が届く位置まで降下させる。可動パネル４を降下させるためには、ヒンジ連結装置５７が可動パネル４の端部との連結を解除し、ロック装置５１が可動パネル４のロックを解除し、駆動モータ５６が駆動してワイヤ５５を繰り出す。ロック装置５１のロックを解除するには、可動部５２を収納部５３に収納することで保持部５４から可動部５２を抜き取る。ヒンジ連結装置５７は、モータ５９の駆動によって、回動部材５８を可動パネル４から外す。
【００４９】
＜エアフィルタの構造と清掃＞
図１１はエアフィルタの正面を示す正面図である。図１２（ａ）はエアフィルタの裏面を示す背面図であり、図１２（ｂ）は図１２（ａ）のＤ−Ｄ線断面図である。また、図１３は図１２（ｂ）におけるＥ部の拡大断面図である。図１１に示すように、エアフィルタ６は、平面略長方形状であり、６つの略長方形状のフィルタ部６ａと、フィルタ部６ａの周囲を囲む樹脂製の支持枠体６ｂとを備える。フィルタ部６ａは塵埃と取り室内空気を通過させるため、網目状になっており、ブラシ２７の毛２７ａよりも少し大きい程度の穴が開いている。エアフィルタ６の支持枠体６ｂの周縁には、長方形の４辺に対応する４つの縁部６ｄ、６ｅ、６ｆ、６ｇがある。なお、縁部６ｄ，６ｅに文字を掘り込んで目視できるようにしているが、文字を形成している凹凸の高さは本実施形態において無視できるほど小さい。
【００５０】
エアフィルタ６は、エアフィルタ収納部２１に取り付けられた状態で、図１１の正面が、図２に示す吸込口５の方を向いている。また、図１２の裏面が、図２に示す吸込み流路７の方を向いている。そのため、室内空気は、エアフィルタ６の正面から裏面に向けて抜けることになる。エアフィルタ６の縁部６ｄは、図８に示すように、後方収納部２３の方に配置され、縁部６ｅは前方収納部２２の方に配置される。
【００５１】
図１２に示すように、エアフィルタ６のラックギア６ｃは、エアフィルタ６の裏面側に形成されている。また、ラックギア６ｃは、支持枠体６ｂの縁部６ｆ、６ｇに位置し、支持枠体６ｂと一体的に形成されている。ラックギア６ｃが形成されている位置は、清掃範囲６ｈの外側である。清掃範囲６ｈのエアフィルタ６の裏面側にはエアフィルタ安定板４５が接するが、ラックギア６ｃが清掃範囲６ｈの外にあるため、エアフィルタ安定板４５とラックギア６ｃは接触しない。
【００５２】
図１３に示すように、エアフィルタ６において、エアフィルタ安定板４５が当接する側では、支持枠体６ｂがフィルタ部６ａを基準として突出量６ｘだけ突出する。一方、ブラシ２７が当接する側において、支持枠体６ｂがフィルタ部６ａを基準として突出量６ｙだけ突出する。これら突出量の関係が、突出量６ｘ＜突出量６ｙとなるように設定される。突出量６ｘは、例えば０．５ｍｍに設定される。この突出量６ｘは、０．７ｍｍ以下であることが好ましく、さらに０．５ｍｍ以下であることが好ましい。ただし、フィルタ部６ａを傷めずにエアフィルタ６をスムーズに移動させるためには、突出量６ｘを０．１ｍｍ以上とすることが好ましく、０．２ｍｍ以上とすることがさらに好ましい。ここで、突出量は、エアフィルタ６のラックギア６ｃが形成されていない範囲、つまり清掃範囲６ｈの支持枠体６ｂの形状で定義される。言い換えれば、平面視において、ブラシ２７とエアフィルタ安定板４５との間を通過するエアフィルタ６の範囲が清掃範囲である。フィルタ部６ａの清掃における塵埃の回り込みに関係するのは清掃の作用を受ける清掃範囲６ｈであり、その範囲の支持枠体６ｂの形状が上述の条件を満たせば作用効果を奏するからである。本実施形態においては、清掃中に移動することで、ブラシ２７がエアフィルタ６の全体に接する一方、エアフィルタ安定板４５はラックギア６ｃの形成領域を除く部分に接するので、清掃範囲６ｈはエアフィルタ安定板４５が接する範囲になっているが、逆にラックギア６ｃをブラシ２７が接する側に形成して安定板４５をエアフィルタ６の全体に接するように構成する場合には、ブラシ２７が接する範囲が清掃範囲になる。また、本実施形態よりもエアフィルタ６の移動量が少なく、ブラシ２７が通過する範囲が狭く限定された範囲になれば、清掃範囲もさらに限定され、当然、狭くなった清掃範囲で突出量が上述の条件を満たせばよい。
【００５３】
エアフィルタ６の裏面側への回り込みを小さくするためには、支持枠体６ｂの厚み、つまり突出量６ｘと突出量６ｙの和は、小さい方がよい。しかし、支持枠体６ｂは、形状を保持するための剛性を必要とすることから薄くするには限界がある。そこで、フィルタ部６ａを裏面側へ片寄せて配置することで突出量６ｘを抑えている。なお、厚み（突出量６ｘと突出量６ｙの和）は、塵埃の回り込みを押えるために２．０ｍｍ以下が好ましく、１．５ｍｍ以下がさらに好ましいが、剛性を得るためには０．７ｍｍ以上が好ましく、１．０ｍｍ以上であることがさらに好ましい。
【００５４】
図１４に示すように、エアフィルタ安定板４５は滑らかに湾曲している。ただし、エアフィルタ安定板４５がエアフィルタ６に接触する領域が平板状であってもよい。また、エアフィルタ安定板４５の表面も滑らかに形成されている。エアフィルタ安定板４５が滑らかな湾曲面あるいは平面を有するのは、清掃時に、前方収納経路２４と後方収納経路２５の間を往復するエアフィルタ６の移動をスムーズに行わせるためである。エアフィルタ安定板４５とブラシ２７の間にエアフィルタ６が挟まれる。ブラシ２７の毛はプラスチック製であり、エアフィルタ６を挟んでいるときは、毛２７ａが少し撓る程度にエアフィルタ６に押し付けられる。そのため、ブラシ２７の毛２７ａは、エアフィルタ６がない状態のとき、前方収納経路２４や後方収納経路２５の下側、つまりエアフィルタ６が摺動する高さよりも少し上まで達するよう設定されている。その結果、突出量６ｙが少し多くても、ブラシ２７の毛２７ａの先端はフィルタ部６ａに達し、十分に清掃することができる。
【００５５】
＜特徴＞
（１）
清掃時に、エアフィルタ６は、駆動モータ３７，３８の駆動力がピニオンギア４１を介してラックギア６ｃに伝達され、前方収納部２２から後方収納部２３に移動する。移動しつつ、エアフィルタ６のフィルタ部６ａは、回転するブラシ２７により塵埃を掻き落とされる。塵埃を掻き落とすためにブラシ２７とエアフィルタ安定板４５の両方がエアフィルタ６と接触するのは清掃範囲６ｈである。この清掃範囲６ｈにおいて、支持枠体６ｂがフィルタ部６ａから突出する、エアフィルタ安定板４５側の突出量６ｘは、ブラシ２７側の突出量６ｙよりも小さい。特に、ブラシ２７に対向して、エアフィルタ安定板４５を専ら受け部材として設けているので、フィルタ部６ａの間隙を小さく設定し易くなっている。フィルタ部６ａとエアフィルタ安定板４５との間隙を小さくできるため、ブラシ２７でフィルタ部６ａを叩いても、フィルタ部６ａにおいて、エアフィルタ安定板４５の側への塵埃の回り込みを少なくすることができる。塵埃の回り込みを防ぐことで、塵埃が熱交換器８やクロスフローファン９に蓄積するのを抑制することができる。
【００５６】
（２）
バネ４４により、フィルタ押え部材４３とともにエアフィルタ安定板４５がブラシ２７の側に付勢されている。ブラシ２７によってエアフィルタ６が押されても、バネ４４により付勢されているため、エアフィルタ６とエアフィルタ安定板４５とは離れることなく接触した状態を保つ。エアフィルタ安定板４５をブラシ２７の側に付勢することにより、ブラシ２７の毛２７ａがフィルタ部６を突き抜けるのを防止することができ、塵埃の回り込みを抑制することができる。
【００５７】
（３）
ブラシ２７は下方からフィルタ部６ａに接触するため、ブラシ２７が掻き落とす塵埃は、重力により下方にあるダストボックス２９に向かって落ちて収納される。塵埃がフィルタ部６ａから下側に向かって落ちるため、フィルタ部６ａの上側つまりフィルタ安定板４５の側への塵埃の回り込みを少なくすることができる。また、ダストボックス２９により塵埃の飛散を防止でき、塵埃の回り込みを抑制することができる。
【００５８】
（４）
エアフィルタ６に接するエアフィルタ安定板４５の面が滑らかな平面または湾曲面で形成されている。エアフィルタ６に接するエアフィルタ安定板４５の面を滑らかな平面又は滑らかな湾曲面とすることで、エアフィルタ６とエアフィルタ安定板４５との接触状態を保ち易くなる。それにより、エアフィルタ６のエアフィルタ安定板４５側への塵埃の回り込みを防止しやすくなる。
【００５９】
（５）
エアフィルタ６の清掃範囲６ｈの外にある支持枠体６ｂの縁部６ｆ、６ｇにラックギア６ｃが、支持枠体６ｂと一体的に形成されている。ラックギア６ｃは清掃範囲６ｈの外側にあるのでブラシ２７による清掃に悪影響を及ぼさない。一方、ラックギア６ｃの剛性により支持枠体６ｂの形状が保持されるため、エアフィルタ６とエアフィルタ安定板４５との間に隙間が開くのを防ぐことができる。それにより、エアフィルタ６のエアフィルタ安定板４５側への塵埃の回り込みを防止しやすくなる。
【００６０】
＜変形例＞
（ａ）
上記実施形態では、空調室内機１が天井設置型の場合について説明したが、空調室内機１は壁掛け型でもよく、上記実施形態と同様の効果を奏する。
【００６１】
（ｂ）
上記実施形態では、ブラシ２７に対向するエアフィルタ安定板４５を設けたが、エアフィルタ安定板４５を設けず、ブラシ２７に対向する位置に在る前方収納経路２４及び後方収納経路２５の壁面が滑らかな湾曲面または平面で形成されていてもよく、ブラシ２７に対向する位置に配置される部材は、エアフィルタ安定板４５には限られない。
【図面の簡単な説明】
【００６２】
【図１】本発明の一実施形態に係る空調室内機の外観を示す斜視図。
【図２】図１の空調室内機の可動パネルが開いている状態においてＡ−Ａ線で切断した断面図。
【図３】エアフィルタ収納部の平面図。
【図４】エアフィルタ収納部の側面図。
【図５】図３におけるＢ−Ｂ線断面図。
【図６】図３のエアフィルタ収納部のうち１枚エアフィルタに対応する部分の立体分解図。
【図７】フィルタ清掃機構の構造の概略を説明するための断面図。
【図８】（ａ）フィルタが前方収納部にあるときのエアフィルタ収納部の断面図。（ｂ）フィルタが後方収納部にあるときのエアフィルタ収納部の断面図。（ｃ）フィルタを取り出すときのエアフィルタ収納部の断面図。
【図９】（ａ）運転時の空調室内機の側面図。（ｂ）運転停止時の空調室内機の側面図。（ｃ）メンテナンス時の空調室内機の側面図。
【図１０】可動パネル降下時の可動パネルと化粧板周辺の斜視図。
【図１１】エアフィルタの正面図。
【図１２】（ａ）エアフィルタの背面図。（ｂ）エアフィルタのＤ−Ｄ線断面図。
【図１３】図１２（ｂ）のＥ部の部分拡大断面図。
【図１４】図５のＦ部の部分拡大断面図。
【符号の説明】
【００６３】
６  エアフィルタ
６ａ  フィルタ部
６ｂ  支持枠体
６ｃ  ラックギア
６ｈ  清掃範囲
２１  エアフィルタ収納部
２２  前方収納部
２３  後方収納部
２７  ブラシ
２７ａ  毛
２９  ダストボックス（塵埃収納箱）
３７，３８  駆動モータ
４１  ピニオンギア
４３  フィルタ押え部材
４４  バネ（付勢部材）
４５  エアフィルタ安定板（受け部材）
【図１】
2010025385.tif 000003
【図２】
2010025385.tif 000004
【図３】
2010025385.tif 000005
【図４】
2010025385.tif 000006
【図５】
2010025385.tif 000007
【図６】
2010025385.tif 000008
【図７】
2010025385.tif 000009
【図８】
2010025385.tif 000010
【図９】
2010025385.tif 000011
【図１０】
2010025385.tif 000012
【図１１】
2010025385.tif 000013
【図１２】
2010025385.tif 000014
【図１３】
2010025385.tif 000015
【図１４】
2010025385.tif 000016